(57)【要約】【課題】本考案は、内蔵した長尺スイッチの両端部の不感知部によるスイッチ動作の制約を削減し感知部の範囲の拡張を図ったエッジスイッチを提供する。【解決手段】本考案は、長尺の外装体１１内に、両端に不感知部を有する長尺スイッチ２を収容したエッジスイッチ１において、外装体１１の端部内側における長尺スイッチ２の両端部に、この両端部を各々囲むように配置され、各端部の側方又は上方から作用する外力に応じて撓み上側突出端１０ａにより長尺スイッチ２の感知部上を押圧して外力を感知部に伝達する略Ｕ状の弾性材からなる外力伝達部材１０を設けたものである。【選択図】図１
0003126095.tif 000002
【実用新案登録請求の範囲】
【請求項１】
長尺の外装体内に、両端に不感知部を有する長尺スイッチを収容したエッジスイッチであって、
前記外装体の両端部内側における長尺スイッチの端部に、この端部に作用する外力に応じて変形し長尺スイッチの感知部に前記外力を伝達する弾性材からなる外力伝達部材を設けたことを特徴とするエッジスイッチ。
【請求項２】
長尺の外装体内に、両端に不感知部を有する長尺スイッチを収容したエッジスイッチであって、
前記外装体の両端部内側における長尺スイッチの端部に、この端部を各々囲むように配置され、各端部の側方又は上方から作用する外力に応じて撓み上側突出端側により長尺スイッチの感知部上を押圧して前記外力を感知部に伝達する略Ｕ状の弾性材からなる外力伝達部材を設けたことを特徴とするエッジスイッチ。
【請求項３】
被覆体と、保持体と、被覆体及び保持体の端部を覆う端部外被とからなる長尺の外装体を備え、前記被覆体に設けた長穴状の収納空間内に両端に不感知部を有する長尺スイッチを収容したエッジスイッチであって、
前記外装体の両端部内側における長尺スイッチの端部に、この端部を各々囲むように配置され、各端部の側方又は上方から作用する外力に応じて撓み上側突出端側により長尺スイッチの感知部上を押圧して前記外力を感知部に伝達する略Ｕ状の弾性材からなる外力伝達部材を設けたことを特徴とするエッジスイッチ。
【請求項４】
両端に不感知部を有する長尺スイッチをマット体上に複数個平面状に配置したマットスイッチであって、
前記各長尺スイッチの両端部に、この両端部に作用する外力に応じて変形し長尺スイッチの感知部に前記外力を伝達する弾性材からなる外力伝達部材を設けたことを特徴とするマットスイッチ。
【請求項５】
両端に不感知部を有し、両端外周部分に外被を設けた長尺スイッチをマット体上に複数個平面状に配置したマットスイッチであって、
前記各長尺スイッチにおける両端部の外被の内側において長尺スイッチの両端部を各々囲むように配置され、各端部の側方又は上方から作用する外力に応じて撓み上側突出端側により長尺スイッチの感知部上を押圧して前記外力を感知部に伝達する略Ｕ状の弾性材からなる外力伝達部材を設けたことを特徴とするマットスイッチ。
【請求項６】
両端に不感知部を有し、両端外周部分に外被を設けた長尺スイッチをマット体上に複数個平面状に配置したマットスイッチであって、
前記各長尺スイッチにおける両端部の外被の内側において長尺スイッチの両端部を各々囲むように配置され、上側突出端を長尺スイッチの感知部に臨ませ、下側突出端を長尺スイッチの下面側に添設して、各端部の側方又は上方から作用する外力に応じて撓み上側突出端側により長尺スイッチの感知部上を押圧して前記外力を感知部に伝達する略Ｕ状の弾性材からなる外力伝達部材を設けたことを特徴とするマットスイッチ。
【請求項７】
基板上に、両端に不感知部を有する長尺スイッチを配置し、この長尺スイッチの外側に緩衝材を配置し、外周を外装部材で覆ったバンパースイッチであって、
前記外装部材内で緩衝材の側面側から前面側隅部に至る領域に、外力に応じて変形する受片と、この受片の変形に応じて前記外力を長尺スイッチの感知部に伝達する押圧片とからなる弾性材からなる外力伝達部材を設けたことを特徴とするバンパースイッチ。
【請求項８】
基板上に、両端に不感知部を有する長尺スイッチを配置し、この長尺スイッチの外側に前面から側面に至る隅部を弧状に形成した左右対称型の緩衝材を配置し、外周を外装部材で覆ったバンパースイッチであって、
前記外装部材内で緩衝材の側面側から前面側隅部に至る領域に、外力に応じて変形する受片と、この受片の変形に応じて前記外力を長尺スイッチの感知部に伝達する押圧片とからなる弾性材からなる外力伝達部材を設けたことを特徴とするバンパースイッチ。
【請求項９】
基板上に、両端に不感知部を有する長尺スイッチを配置し、この長尺スイッチの外側に前面から側面に至る隅部を弧状に形成した緩衝材を配置し、外周を外装部材で覆ったバンパースイッチであって、
前記外装部材内で緩衝材の側面側から前面側隅部に至る領域に、外力に応じて変形する略弓形状の受片と、この受片に連設され突出端を長尺スイッチの感知部に臨ませて前記受片変形に応じて前記外力を長尺スイッチの感知部に伝達する押圧片とからなる弾性材からなる外力伝達部材を設けたことを特徴とするバンパースイッチ。
【考案の詳細な説明】
【技術分野】
【０００１】
本考案は、感知部の拡張を図ったエッジスイッチ、マットスイッチ及びバンパースイッチに関するものである。
【背景技術】
【０００２】
従来、長尺の上部電極、下部電極を中間枠部材を挟んで上下対向配置するとともにこれらの外周を弾性を有する外被で多い、外被を介して上部電極のいずれかの部分に外力が作用したとき上部電極を撓ませて下部電極に接触させることによりスイッチ動作を行わせるようにした長尺スイッチが種々提案されている。
【０００３】
このような長尺スイッチの両端から数十ｍｍの範囲は、上部電極、下部電極間に中間枠部材を介在させる構造のために、端部に対して各々外力が働いてもスイッチ動作を実行させることができない不感知部又は感度が極めて低い低感度部となっていた。このような不感知部、低感度部の存在は、いかなる原理の長尺スイッチにおいても回避することは困難であった。
【０００４】
このため、従来の長尺スイッチを内蔵したエッジスイッチ、マットスイッチ、バンパースイッチのいずれにおいても、内蔵した長尺スイッチの両端部に存在する不感知部又は低感度部のため機能上の制約を余儀なくされていた。
【０００５】
従来の長尺スイッチ５０を内蔵したエッジスイッチ６０について図１０、図１１を参照して説明する。
【０００６】
このエッジスイッチ６０は、長尺スイッチ５０を収納する長穴状の収納空間６２を長さ方向に設け、更に、その下部において幅方向に向け、且つ、長さ方向に沿って対称配置に突設されるとともに、長さ方向に沿った受溝６４ａ、６４ｂを有する一対の係合脚部６３ａ、６３ｂを具備する被覆体６１と、この被覆体６１の下側において前記受溝６４ａ、６４ｂに対して対称形状の係合突片６６ａ、６６ｂを係合させることで接合配置した保持体６５と、前記被覆体６１、保持体６５の端部を覆う端部外被６７とを有している。
【０００７】
このエッジスイッチ６０において、その端部に、上方又は側方から外力Ｆが作用した場合、この外力Ｆは、長尺スイッチ５０の端部の不感知部Ｒを押すに止まり、長尺スイッチ５０をオン状態とする力としては作用しない。
【０００８】
従来の長尺スイッチ５０を内蔵したマットスイッチ７０について図１２を参照して説明する。図１２は、長尺スイッチ５０を各々所定間隔で列設した４枚のマットスイッチ７０を継ぎ目なく敷設した状態を示すものである。
【０００９】
マットスイッチ７０の外周部分は、このマットスイッチ７０自体を密封構造とする必要性があり、ある程度の幅（例えば２５ｍｍ）の不感知部が生じる。
【００１０】
図１２において横方向の継ぎ目領域においては、各マットスイッチ７０の外周部に長尺スイッチ５０を沿わせることから、７０ｍｍ程度の不感知領域Ｐが生じる。
【００１１】
また、図１２において、縦方向の継ぎ目領域では、外周部の不感知部に加えて長尺スイッチ５０自体の不感知部Ｒが加わることから、１００ｍｍを越える不感知領域Ｑが生じる場合もある。
【００１２】
このような４枚のマットスイッチ７０の敷設構造においては、成人の靴の幅は１００ｍｍ程度であることを考慮すると、人間がマットスイッチ７０同士の継ぎ目領域を歩行し、いずれのマットスイッチ７０をオンさせることなく例えば危険領域等に立ち入るという不都合な事態が発生する可能性を残す。
【００１３】
従来の長尺スイッチ５０を内蔵したバンパースイッチ８０について図１３を参照して説明する。
【００１４】
図１３に示すバンパースイッチ８０は、基板８３に取り付けた長尺スイッチ５０を緩衝材８１、外被８２で覆った構造であり、例えば無人車等に取り付けたバンパースイッチ８０において、無人車の旋回時等に図１３に示すように障害物８４に端部外側が接触する場合がある。この際、障害物８４との接触に伴う衝撃力は、既述した場合と同様長尺スイッチ５０の不感知部Ｒを押すだけでオン状態とする力としては働かない。
【００１５】
特許文献１には、ベース板上に、長尺スイッチ及びアクチュエータを間隔をおいて配置し、長尺スイッチとアクチュエータとの間に突起を設け、これらの外周を緩衝材、外装部材で覆った構造のバンパースイッチが提案されている。
【００１６】
しかし、この特許文献１の場合も、長尺スイッチ５０の両端部の不感知部によるバンパースイッチ８０の制約を回避することは難しい。
【特許文献１】特開平２００２−１３７７０２号公報
【考案の開示】
【考案が解決しようとする課題】
【００１７】
本考案が解決しようとする問題点は、長尺スイッチを内蔵、又は設置したエッジスイッチ、マットスイッチ及びバンパースイッチであって、長尺スイッチの両端部の不感知部によるスイッチ動作の制約を削減し感知部の範囲の拡張を図ったエッジスイッチ、マットスイッチ及びバンパースイッチが存在しない点である。
【課題を解決するための手段】
【００１８】
本考案は、内蔵した長尺スイッチの両端部の不感知部によるスイッチ動作の制約を削減し感知部の範囲の拡張を図ったエッジスイッチを提供するという目的を、長尺の外装体内に、両端に不感知部を有する長尺スイッチを収容したエッジスイッチであって、前記外装体の両端部内側における長尺スイッチの各端部に、この各端部に作用する外力に応じて変形し長尺スイッチの感知部に前記外力を伝達する弾性材からなる外力伝達部材を設けたことを最も主要な特徴とする。
【考案の効果】
【００１９】
本考案によれば、以下の効果を奏する。
請求項１記載の考案によれば、長尺の外装体内に長尺スイッチを収容し、外装体の両端部内側における長尺スイッチの端部に、この端部に作用する外力に応じて変形し長尺スイッチの感知部に前記外力を伝達する弾性材からなる外力伝達部材を設けたものであるから、従来例のような不感知部を削減し（又は無くし）、外力に応答する感知部を略両端まで拡張して長尺スイッチの略全長に亙ってスイッチオン信号を得ることができ、人間等の存在を的確に検知し得るエッジスイッチを提供することができる。
【００２０】
請求項２記載の考案によれば、前記外力伝達部材を略Ｕ状の弾性材とした構成で、請求項１記載の考案と同様な効果を奏するエッジスイッチを提供することができる。
【００２１】
請求項３記載の考案によれば、前記外装体を被覆体と、保持体と、被覆体及び保持体の端部を覆う端部外被とにより構成し、被覆体に設けた長穴状の収納空間内に長尺スイッチを収容し、前記外力伝達部材を略Ｕ状の弾性材とした構成で、請求項１記載の考案と同様な効果を奏するエッジスイッチを提供することができる。
【００２２】
請求項４記載の考案によれば、マット体上に複数個平面状に長尺スイッチを配置し、各長尺スイッチの両端部に、この両端部に作用する外力に応じて変形し長尺スイッチの感知部に前記外力を伝達する弾性材からなる外力伝達部材を設けたものであるから、従来例のような不感知部を削減し（又は無くし）、外力に応答する感知部を略両端まで拡張し、長尺スイッチの略全長に亙ってスイッチオン信号を得ることができ、また、複数枚を組み合わせた場合に相互間の不感知領域を少なくすることができるマットスイッチを提供することができる。
【００２３】
請求項５記載の考案によれば、前記外力伝達部材を略Ｕ状の弾性材とした構成で、請求項４記載の考案と同様な効果を奏するマットスイッチを提供することができる。
【００２４】
請求項６記載の考案によれば、前記外力伝達部材を略Ｕ状の弾性材からなり、上側突出端を長尺スイッチの感知部に臨ませ、下側突出端を長尺スイッチの下面側に添設した構成で、請求項４記載の考案と同様な効果を奏するマットスイッチを提供することができる。
【００２５】
請求項７記載の考案によれば、基板上に、両端に不感知部を有する長尺スイッチを配置し、この長尺スイッチの外側に緩衝材を配置し、外周を外装部材で覆い、外装部材内でバンパースイッチの側面側から前面側隅部に至る領域に、外力に応じて変形する受片と、この受片の変形に応じて前記外力を長尺スイッチの感知部に伝達する押圧片とからなる弾性材からなる外力伝達部材を設けたものであるから、従来例のような不感知部を削減し（又は無くし）、外力に応答する感知部を略両端まで拡張し、長尺スイッチの略全長に亙ってスイッチオン信号を得ることができるバンパースイッチを提供することができる。
【００２６】
請求項８記載の考案によれば、前記緩衝材を前面から側面に至る隅部を弧状に形成した左右対称型とし、前記外装部材内で緩衝材の側面側から前面側隅部に至る領域に前記受片を配置し、受片の変形に応じて押圧片により外力を長尺スイッチの感知部に伝達するようにした構成で、請求項７記載の考案と同様な効果を奏するバンパースイッチを提供することができる。
【００２７】
請求項９記載の考案によれば、前記受片を略弓形状とし、この受片に連設した突出端を長尺スイッチの感知部に臨ませた構成で、請求項７記載の考案と同様な効果を奏するバンパースイッチを提供することができる。
【考案を実施するための最良の形態】
【００２８】
本考案は、内蔵した長尺スイッチの両端部の不感知部によるスイッチ動作の制約を削減し感知部の範囲の拡張を図ったエッジスイッチを提供するという目的を、長尺の外装体内に、両端に不感知部を有する長尺スイッチを収容したエッジスイッチであって、前記外装体の端部内側における長尺スイッチの両端部に、この両端部を各々囲むように配置され、各端部の側方又は上方から作用する外力に応じて撓み上側突出端側により長尺スイッチの感知部上を押圧して前記外力を感知部に伝達する略Ｕ状の弾性材からなる外力伝達部材を設けた構成により実現した。
【実施例】
【００２９】
以下に、本考案の実施例を詳細に説明する。
（実施例１）
図１、図３、図４は、本考案の実施例１に係るエッジスイッチ１を示すものであり、このエッジスイッチ１は、両端部に弾性絶縁材からなる封止部２ａ、２ｂを設けた長尺スイッチ２を収納する長穴状の収納空間６を長さ方向に設け、更に、その下部において幅方向に向け、且つ、長さ方向に沿って対称配置に突設されるとともに、長さ方向に沿った受溝４ａ、４ｂを有する一対の係合脚部５ａ、５ｂを具備する被覆体３と、この被覆体３の下側において前記受溝４ａ、４ｂに対して対称形状の係合突片８ａ、８ｂを係合させることで接合配置した保持体７と、前記被覆体３、保持体７の両端部を各々覆う端部外被９、９と、前記端部外被９の内側で、且つ、被覆体３の収納空間６の両端から内方に向けて配置した弾性材（例えば板バネ）からなる外力伝達部材１０とを有している。
【００３０】
前記被覆体３、保持体７及び端部外被９、９により、長尺の外装体１１を構成している。
【００３１】
前記各外力伝達部材１０は、図２においても示すように、長尺スイッチ２の両端部において、この両端部を各々囲むように配置され、その上側突出端１０ａ側を前記封止部２ａ、２ｂの各々の上側と、収納空間６の上側内壁の間を経て封止部２ａ、２ｂに各々連なる長尺スイッチ２の感知部上に臨ませている。また、前記各外力伝達部材１０の下側突出端１０ｂ側は、前記封止部２ａ、２ｂの各々の下側と、収納空間６の下側内壁の間を経て封止部２ａ、２ｂに連なる長尺スイッチ２の下面に臨ませている。
【００３２】
次に、上述した構成からなるエッジスイッチ１のスイッチ動作を、端部領域の上方からの外力Ｆ１または側方からの外力Ｆ２が作用する場合を例にとり、且つ、図４をも参照して説明する。
【００３３】
このエッジスイッチ１において、図４に示すように、一方の端部領域の上方から外力Ｆ１が作用した場合、この外力Ｆ１により前記外力伝達部材１０は撓み（変形し）、これに伴い上側突出端１０ａはエッジスイッチ１の長さ方向に変位して長尺スイッチ２の感知部上を押圧する。この結果、前記外力Ｆ１は感知部に伝達され、長尺スイッチ２はオン状態となる。
また、外力Ｆ１が無くなれば前記外力伝達部材１０はその弾力により初期状態に復帰して、長尺スイッチ２はオフ状態に戻る。他方の端部領域の上方から外力Ｆ１が作用した場合も同様である。更に、各端部領域に側方からの外力Ｆ２が作用した場合も同様である。
【００３４】
このようにして、本実施例１のエッジスイッチ１によれば、従来例のような不感知部を削減し（又は無くし）、外力Ｆ１又はＦ２に応答する感知部を略両端まで拡張して長尺スイッチ２の略全長に亙ってスイッチオン信号を得ることができ、人間等の存在を的確に検知する安全スイッチとしての機能が向上する。
【００３５】
（実施例２）
次に、図５乃至図７を参照して、本考案の実施例２に係るマットスイッチ２１について説明する。
【００３６】
本実施例２に係るマットスイッチ２１は、図５、図６に示すように、絶縁材からなる平面四角形状のマット体２３上に、両端部に不感知部を有する長尺スイッチ２２を複数個平面状に、且つ、平行配置に取り付けることにより構成している。
【００３７】
長尺スイッチ２２は、両端部に不感知部となる弾性絶縁材からなる封止部２２ａ、２２ｂを有し、この封止部２２ａ、２２ｂ間の領域の上面部分をスイッチ動作用の感知部としている。
【００３８】
また、長尺スイッチ２２は、各端部の上方又は側方から作用する外力Ｆ１又はＦ２に応じて撓み、外力Ｆ１又はＦ２を感知部に伝達する実施例１の場合と同様な略Ｕ状の弾性材からなる外力伝達部材２４を有している。
【００３９】
前記各々の外力伝達部材２４は、図６に示すように、長尺スイッチ２２の両端部において、この両端部を各々前記封止部２２ａ、２２ｂを含めて囲むように配置され、その上側突出端２４ａ側を前記封止部２２ａ、２２ｂの各々の上側を経て前記封止部２２ａ、２２ｂに各々連なる長尺スイッチ２２の感知部上に臨ませている。また、各外力伝達部材２４の下側突出端２４ｂ側は、長尺スイッチ２２の下面側に添設している。
【００４０】
更に、前記長尺スイッチ２２の両端部には、前記各外力伝達部材２４を覆う絶縁材からなる外被２６ａ、２６ｂを設けている。
【００４１】
次に、上述した構成からなるマットスイッチ２１のスイッチ動作を、端部領域に上方からの外力Ｆ１または側方からの外力Ｆ２が作用する場合を例にとり、且つ、図７をも参照して説明する。
【００４２】
このマットスイッチ２１において、図７に示すように、一方の端部領域の上方から外力Ｆ１が作用した場合、この外力Ｆ１により前記外力伝達部材２４は撓み（変形し）、これに伴い上側突出端２４ａはマットスイッチ２１の長さ方向に変位してマットスイッチ２１の感知部上を押圧する。この結果、前記外力Ｆ１は感知部に伝達され、マットスイッチ２１はオン状態となる。また、外力Ｆ１が無くなれば前記外力伝達部材２４はその弾力により初期状態に復帰し、前記長尺スイッチ２２はオフ状態に戻る。他方の端部領域の上方から外力Ｆ１が作用した場合も同様である。更に、各端部領域に側方からの外力Ｆ２が作用した場合も同様である。
【００４３】
このようにして、本実施例２のマットスイッチ２１においても、従来例のような不感知部を削減し（又は無くし）、外力Ｆ１又はＦ２に応答する感知部を略両端まで拡張し、長尺スイッチ２２の略全長に亙ってスイッチオン信号を得ることができる。
【００４４】
この結果、例えば図５に示すように、マットスイッチ２１を４枚組み合わせて敷設した場合、図５に示す隣り合うマットスイッチ２１、２１における縦方向の不感知領域Ｔの寸法を、既述した図１２に示す不感知領域Ｑに比べて、前記不感知部Ｒの２倍の寸法分少なくすることができ、人間等の歩行時の感知能を高めることができる。
【００４５】
（実施例３）
次に、図８、図９を参照して、本考案の実施例３に係るバンパースイッチ３１にについて説明する。
【００４６】
本実施例３に係るバンパースイッチ３１は、図８に示すように、絶縁材からなる基板３３上に、両端に不感知部となる封止部３６ａ、３６ｂを有する長尺スイッチ３２を固定配置し、この長尺スイッチ３２の外側（前面側）に、左右一対の弾性材（例えば板バネ材）からなる外力伝達部材３７と、前面から両側面に至る隅部を弧状に形成した弾性ゴム材等からなる緩衝材３４とを配置し、更にこれらの外周全体を樹脂材又は皮革材等からなる外装部材３５で覆い、左右対称型に構成したものである。
【００４７】
前記外力伝達部材３７は、外装部材３５内で、且つ、バンパースイッチ３１の側面側から前面側隅部に至る領域に配置した側方からの外力Ｆ２又は前方からの外力Ｆ３に応じて撓む（変形する）略弓形状の受片３８と、この受片３８に連設され、その突出端３９ａを前記長尺スイッチ３２の感知部に臨ませた前記受片３８の変形に応じて変位し前記外力Ｆ１又はＦ３を長尺スイッチ３２の感知部に伝達する押圧片３９とを具備している。
【００４８】
次に、上述した構成からなるバンパースイッチ３１のスイッチ動作を、例えばこのバンパースイッチ３１の側面が図９に示す障害物４０に衝突し、側方からの外力Ｆ２を受けた場合を例にとって説明する。
【００４９】
このバンパースイッチ３１において、図９に示すように、一方の端部領域の側方から外力Ｆ２を受けた場合、この外力Ｆ２により前記外力伝達部材３７の受片３８は緩衝材３４側に撓み（変形し）、これに伴い押圧片３９も長尺スイッチ３２側に変位してその突出端３９ａがバンパースイッチ３１における長尺スイッチ３２の感知部上を押圧する。
【００５０】
この結果、外力Ｆ２は感知部に伝達され、バンパースイッチ３１はオン状態となり、障害物４０の検知信号を得ることができる。また、外力Ｆ２が無くなれば前記外力伝達部材３７はその弾力により初期状態に復帰し、前記長尺スイッチ３２はオフ状態に戻る。他方の端部領域の側方から外力Ｆ１が作用した場合も同様である。更に、各端部領域の前方やコーナ領域から外力Ｆ３が作用した場合も同様である。
【００５１】
本実施例３に係るバンパースイッチ３１によれば、従来例のような不感知部を削減し（又は無くし）、外力Ｆ１又はＦ３に応答する感知部を略両端まで拡張し、長尺スイッチ３２の略全長に亙ってスイッチオン信号を得ることができる。
【００５２】
本実施例３に係るバンパースイッチ３１は、例えば荷物運搬に用いる無人車等のバンパーに用いて好適である。
【産業上の利用可能性】
【００５３】
本考案に係るエッジスイッチ、マットスイッチは、人間や動物等の検知に幅広く適用でき、また、本考案のバンパースイッチは、各種車輛のバンパーに取り付けて障害物検知用等として幅広く活用できる。
【図面の簡単な説明】
【００５４】
【図１】本考案の実施例１に係るエッジスイッチの一部省略断面図である。
【図２】本実施例１に係るエッジスイッチにおける外力伝達部材の拡大斜視図である。
【図３】図１のＡ−Ａ線断面図である。
【図４】本実施例１に係るエッジスイッチのオン状態を示す説明図である。
【図５】本考案の実施例２に係るマットスイッチを４枚組み合わせた状態の部分平面図である。
【図６】本実施例の実施例２に係るマットスイッチの一部省略断面図である。
【図７】本実施例の実施例２に係るマットスイッチのオン状態を示す説明図である。
【図８】本考案の実施例３に係るバンパースイッチの一部省略断面図である。
【図９】本実施例３に係るバンパースイッチのオン状態を示す説明図である。
【図１０】従来のエッジスイッチの部分断面図である。
【図１１】図１０のＢ−Ｂ線断面図である。
【図１２】従来のマットスイッチを４枚組み合わせた状態の部分平面図である。
【図１３】従来のバンパースイッチの部分断面図である。
【符号の説明】
【００５５】
１    エッジスイッチ
２    長尺スイッチ
２ａ  封止部
２ｂ  封止部
３    被覆体
４ａ、４ｂ    受溝
５ａ、５ｂ    係合脚部
６    収納空間
７    保持体
８ａ、８ｂ    係合突片
９    端部外被
１０    外力伝達部材
１０ａ  上側突出端
１０ｂ  下側突出端
１１    外装体
２１    マットスイッチ
２２    長尺スイッチ
２２ａ、２２ｂ    封止部
２３    マット体
２４    外力伝達部材
２４ａ  上側突出端
２４ｂ  下側突出端
２６ａ、２６ｂ    外被
３１    バンパースイッチ
３２    長尺スイッチ
３３    基板
３４    緩衝材
３５    外装部材
３６ａ、３６ｂ    封止部
３７    外力伝達部材
３８    受片
３９    押圧片
３９ａ  突出端
４０    障害物
【図１】
0003126095.tif 000003
【図２】
0003126095.tif 000004
【図３】
0003126095.tif 000005
【図４】
0003126095.tif 000006
【図５】
0003126095.tif 000007
【図６】
0003126095.tif 000008
【図７】
0003126095.tif 000009
【図８】
0003126095.tif 000010
【図９】
0003126095.tif 000011
【図１０】
0003126095.tif 000012
【図１１】
0003126095.tif 000013
【図１２】
0003126095.tif 000014
【図１３】
0003126095.tif 000015